(57)【特許請求の範囲】
【請求項１】
上部収納部と、該上部収納部よりも前方へ突出した下部収納部とを有した収納キャビネットであって、
上記上部収納部は壁に固定され、下方に該上部収納部とは分離した下方空間が形成されている一方、上記下部収納部は床上に移動自在に支持されて、上記下方空間から前後出し入れ自在となっており、
上記下部収納部を上記下方空間に収容したときに形成される上記下部収納部の突出部分を腰掛部として構成しており、
上記上部収納部の背面下端部分が上記下部収納部の背方に垂設されて背部収納スペースが形成され、該背部収納スペースが上方に開口して上記上部収納部と連通していることを特徴とする収納キャビネット。
【請求項２】
請求項１において、
上記上部収納部の前面を開閉する戸板をスライド式とした収納キャビネット。
【請求項３】
請求項１または２において、
上記下部収納部が外箱と内箱とで二重構造に形成され、上記外箱は床上に設置され、上記内箱が床上に移動自在に支持されて、上記下方空間から前後出し入れ自在となっている収納キャビネット。
【発明の詳細な説明】
【技術分野】
【０００１】
本発明は、下部収納部が上部収納部と分離され移動自在となっている収納キャビネットに関する。
【背景技術】
【０００２】
従来、この種の収納キャビネットとして、例えば特許文献１に示すような電子機器収納家具が提案されている。また、下方空間に移動自在な収納部を配したキッチンキャビネットも知られている。
【０００３】
このような下部収納部が移動自在な収納キャビネットによれば、テレビなど重量のある電子機器でも容易に出し入れでき、また例えばゴミ箱などの美観を損ねるものを下方空間に隠しておくこともできる。
【先行技術文献】
【特許文献】
【０００４】
【特許文献１】特開平５−１９１０７２号公報
【発明の概要】
【発明が解決しようとする課題】
【０００５】
ところで、この種の収納キャビネットでは、リビングやキッチンにおいて、下部収納部の上面に埃がかぶらないように、また歩行の邪魔にならないように、下部収納部は上部収納部よりも前方に突出していないことが通例である。
【０００６】
しかしながら、このような収納キャビネットは、種々の住居内空間に設置することが一般的であり、設置する空間に応じては、下部収納部について置物の設置台や椅子（腰掛部）として使用したいとの要望がある。従来でも、下部収納部を引き出せば置物の設置台や腰掛部として利用できていたが、引き出した下部収納部に置物を置き、その後下部収納部を壁際まで押し込めば置物が落下してしまうおそれがあり、利便性、安全性を欠いていた。また、下部収納部の上面に腰掛けたいときには下部収納部を引き出し操作する必要があり、面倒でもあった。
【０００７】
本発明は、このような事情を考慮して提案されたもので、その目的は、下部収納部を置物の載置台や腰掛部などの用途として安全に使用できる収納キャビネットを提供することにある。
【課題を解決するための手段】
【０００８】
上記目的を達成するために、請求項１に記載の収納キャビネットは、上部収納部と、上部収納部よりも前方へ突出した下部収納部とを有した収納キャビネットであって、上部収納部は壁に固定され、下方に上部収納部とは分離した下方空間が形成されている一方、下部収納部は床上に移動自在に支持されて、下方空間から前後出し入れ自在となっており、下部収納部を下方空間に収容したときに形成される下部収納部の突出部分を腰掛部として構成しており、上部収納部の背面下端部分が下部収納部の背方に垂設されて背部収納スペースが形成され、該背部収納スペースが上方に開口して上部収納部と連通していることを特徴とする。
【０００９】
請求項２に記載の収納キャビネットでは、上部収納部の前面を開閉する戸板をスライド式としている。
【００１０】
（削除）
【００１１】
（削除）
【００１２】
請求項３に記載の収納キャビネットでは、下部収納部が外箱と内箱とで二重構造に形成され、外箱は床上に支持され、内箱が床上に移動自在に支持されて、下方空間から前後出し入れ自在となっている。
【発明の効果】
【００１３】
請求項１に記載の収納キャビネットによれば、下部収納部を上部収納部よりも前方に突出させて腰掛部を形成しているので、そこに人が腰掛けられ、また置物を載置することもでき、多目的スペースとして利用することができる。特に、玄関に設置すれば、靴を脱ぎ履きする際の腰掛として利用でき、リビングに設置すれば、簡易イスとして利用できる。
【００１４】
また、下部収納部は上部収納部よりも前方に突出しているため、腰掛部が上部収納部の直下に入り込むことがなく、置物などを転倒、落下させることなく安全に腰掛部に載置させることができる。腰掛ける際にも、下部収納部をわざわざ引き出す必要がないため、便利である。
【００１５】
また、下部収納部の背方に上部収納部から延びた背部収納スペースが形成されているので、ひんぱんに使用しない物や重量のある物品などを下部収納部とは分離して収納しておくことができる。
【００１６】
さらに、背部収納スペースが上方に開口して上部収納部と連通しているので、背部収納スペースを傘や杖などの長尺物の収納スペースとして利用できる。
【００１７】
請求項２に記載の収納キャビネットによれば、上部収納部の前面を開閉する戸板（扉）がスライド式であるため、腰掛部に腰掛けた状態や置物を載置した状態でも戸板を安全に開閉することができる。
【００１８】
請求項３に記載の収納キャビネットによれば、下部収納部が外箱と内箱とで二重構造に形成され、内箱が下方空間から前後出し入れ自在となっているので、外箱および前方に引き出した内箱により二段の腰掛部を形成できる。これらの腰掛部は例えば、大人用と子供用とに使い分けられる。
【図面の簡単な説明】
【００１９】
【図１】本発明の収納キャビネットの第１実施形態を示した一部分解外観斜視図である。
【図２】同実施形態の収納キャビネットの概略縦断面図である。
【図３】下部収納部のロック機構の一例を示す図で、（ａ）は斜視図、（ｂ）は横断面図である。
【図４】図３（ｂ）のＸ−Ｘ線矢視拡大縦断面図および一部をさらに拡大した斜視図であり、（ａ）はロックした状態、（ｂ）はロック解除した状態を示している。
【図５】上部収納部に設ける小扉の３例を示す図であり、（ａ）（ｂ）は部分縦断面図、（ｃ）は部分斜視図である。
【図６】（ａ）〜（ｃ）は、本発明の収納キャビネットの第２実施形態の３例を示した概略縦断面図である。
【図７】本発明の収納キャビネットの第３実施形態を示した一部分解外観斜視図である。
【図８】（ａ）（ｂ）は、同実施形態の収納キャビネットの使用態様２例を示す概略縦断面図である。
【発明を実施するための形態】
【００２０】
以下に、本発明の実施の形態について、添付図面を参照しながら説明する。
【００２１】
図１は、第１実施形態の収納キャビネットの一部分解外観斜視図である。図２は、同実施形態の収納キャビネットの概略縦断面図である。
【００２２】
この収納キャビネット１は、玄関土間に設置して使用されるもので、上部収納部１０が壁Ｗにビス等の固定具で固定され、その下方に上部収納部１０とは分離した下方空間１ｂが形成されている。その下方空間１ｂには、移動自在な下部収納部２０が配されている。また、下部収納部２０の下端（土間の床面）から上部収納部１０の上端までの高さに対応した側板１ａによって上部収納部１０と下部収納部２０の側面が隠されている。なお、この側板１ａは、後述するように上部収納部１０と下部収納部２０の奥行き寸法が異なるため、図１に示すように、その寸法に応じた形状となっている。
【００２３】
上部収納部１０は、天板１０ａ、底板１０ｂ、背板１０ｃ、両側板１０ｄ、１０ｄおよび戸板１１ａ（扉）によって外郭が形成されている。この上部収納部１０は、仕切板１０ｆによって、主たる収納空間であり戸板１１ａで開閉される履物収納空間１１と、履物収納空間１１の下方に配され前方を開口した小物収納空間１２とに区分されている。なお図例では、背板１０ｃを壁Ｗにビス固定している。
【００２４】
上部収納部１０のうち履物収納空間１１は、縦６段、横５、６足の履物（不図示）を収納できる程度の縦横寸法となっている。なお、奥行き寸法は履物を壁に直交する方向に載置できる程度の寸法であればよい。履物収納空間１１は、取り付ける高さ位置を変更可能とした棚板１０ｅで仕切られている。履物収納空間１１の前面にはスライド式の戸板１１ａ（扉）が取り付けられている。また、小物収納空間１２は前面が開放されており、奥方の背板１０ｃ前面にはコンセント１２ｂが配線、取り付けされている。
【００２５】
一方、下部収納部２０は、それぞれがキャスター２４で移動自在な３つの収納ボックス２１、２１、２１を有している。それぞれの収納ボックス２１は、天板２１ａ、底板２１ｂ、背板２１ｃ、両側板２１ｄ、２１ｄおよび前面の回転式の開閉扉２１ｅにより構成されている（後述する図３参照）。
【００２６】
この収納ボックス２１は、奥行き寸法が上部収納部１０の奥行き寸法よりも大きい。つまり、収納ボックス２１を壁際まで押し込んで下方空間１ｂに収容させたときでは、前方部２２が上部収納部１０よりも突出した状態となる。この前方部２２は、その上面に人が腰掛けられる腰掛部２３を構成している。なお、収納ボックス２１は床Ｆ上に支持されているので、人が腰掛けても、腰掛面が傾いたり落ち込んだりするようなおそれはない。
【００２７】
このように、下部収納部２０に常時上面が露出された腰掛部２３が形成されているため、靴を脱ぎ履きする際の腰掛として利用できるほか、花瓶や置物の載置台としても利用できる。また、下部収納部２０の前方部２２が上部収納部１０よりも突出した状態にあるため、腰掛部２３が上部収納部１０の下方に入り込むことはなく、置物などを転倒、落下させることなく安全に載置させることができる。腰掛部２３に腰掛ける際にも、下部収納部２０をわざわざ引き出す必要がないため、便利である。
【００２８】
さらに、本実施形態の例では上部収納部１０の戸板１１ａがスライド式であるため、腰掛けた状態で、または置物を置いた状態で戸板１１ａを開閉することができ、特に利便性が高い。
【００２９】
また、小物収納空間１２に配したコンセント１２ｂから電源をとって、ランプなどを載置することもできる。コンセント１２ｂも配線も小物収納空間１２に隠されるため、見映えもよい。
【００３０】
ついで、ロック機構を有した下部収納部２０（収納ボックス２１）について説明する。図３は同ロック機構の一例を示す図で、図３（ａ）は収納ボックス２１の斜視図、図３（ｂ）は同横断面図である。図４は図３（ｂ）のＸ−Ｘ線矢視拡大縦断面図およびロック部材の設置部分をさらに拡大した部分斜視図であり、図４（ａ）はロックした状態、図４（ｂ）はロック解除した状態をそれぞれ示している。
【００３１】
この収納ボックス２１は、天板２１ａ、底板２１ｂ、背板２１ｃ、両側板２１ｄ、２１ｄおよび回転式の開閉扉２１ｅよりなる。底板２１ｂの上面に物品を載置でき、底板２１ｂの下面には隅部近傍にキャスター２４、２４が取り付けられている（図３（ａ）（ｂ）参照）。
【００３２】
また、図３（ｂ）および図４に示すように、両側板２１ｄの内面の下部４箇所にはロック部材５０、５０・・・が取り付けてある。
【００３３】
収納ボックス２１の構成部材のうち底板２１ｂだけは分離形成されており、他の構成部材よりなる下方開口箱体２５を底板２１ｂに被せることで、収納ボックス２１全体で移動、あるいは制止できる構造となっている。
【００３４】
具体的には、このロック部材５０は、側板２１ｄの内面に固着された、上下開口を有した筒体５１と、スライド柱体５２とよりなる。スライド柱体５２は筒体５１内を上下にスライド自在とされ、かつスライド柱体５２が収納ボックス２１の底板２１ｂを押圧した状態で筒体５１に係止されるようになっている。このようにスライド、係止できるように、筒体５１には、スライド柱体５２の係止突起５２ａがスライド移動可能で、相互に連通したスライド溝５１ａと係止溝５１ｂとが形成されている。
【００３５】
スライド柱体５２が筒体５１に係止されていない状態では、下方開口箱体２５の重力がかかるため、両側板２１ｄ、２１ｄおよび背板２１ｃの下端が床面を押圧して底板２１ｂに取り付けたキャスター２４はロックされる。一方、係止突起５２ａが係止溝５１ｂに入り込んでスライド柱体５２が係止された状態では、下方開口箱体２５が上方に持ち上がって、両側板２１ｄ、２１ｄおよび背板２１ｃの下端による制止が解除され、キャスター２４が回転可能となる。
【００３６】
このロック機構は、開閉扉２１ｅを開けて４つのロック部材５０の係止突起５２ａを手動で操作することで、設定および解除がなされる。
【００３７】
このように、収納ボックス２１にロック機構を設けることで、キャスター２４による移動の禁止／許可の設定を容易にできるので、腰掛けた状態で動き出すことを禁止でき、収納ボックス２１を腰掛として安全に使用することができる。
【００３８】
つぎに、小物収納空間１２の小扉について説明する。図５は上部収納部に設ける小扉の３例を示す図であり、（ａ）（ｂ）は部分縦断面図、（ｃ）は部分斜視図である。なお、図５（ａ）（ｂ）は、小扉の閉から開への動作変化を示している。また、本図例において、図１と同様の構成については、図中に同一の符号を付して、その説明を割愛する。
【００３９】
図５（ａ）の小扉１２ａは、前面開口の上部近傍を支軸として回動しながら全体が上に持ち上げられ、小物収納空間１２に水平な状態で収納される構造となっている。図５（ｂ）の小扉１２ａは、ビューロー家具のごとく下端部を支軸として前方に回動して上端が吊り紐１２ｂで吊支持される構造となっている。これらはいずれも、図１に示した収納キャビネット１の上部収納部１０に適用可能なものである。
【００４０】
また、図５（ｃ）の小扉１２ａは、図示するように、上方の履物収納空間１１に回転両開きタイプの戸板１１ａに上下のスライドが可能なように取り付けられている。図例のものは、小扉１２ａが表裏２体よりなり、それらが戸板１１ａを挟んだ状態でスライドできる構造となっている。小扉１２ａは、扉１１ａを閉じた状態ではスライド操作をして履物収納空間１１部分だけを開けることができ（図中の左側の小扉１２ａを参照）、両開きの扉１１ａを開けるとそれとともに回転して開く動作をなす（図中の右側の小扉１２ａを参照）。
【００４１】
このように種々の形式の小扉１２ａを設けることで、小物収納空間１２への埃、ゴミの侵入を防止することができ、また雑多な小物を隠して美観を保持することができる。
【００４２】
ついで、本発明の第２実施形態について説明する。図６（ａ）〜（ｃ）は、本実施形態の収納キャビネットの３例を示した概略縦断面図である。なお、本実施形態において、第１実施形態と同様の構成については、図中に同一の符号を付して、その説明を割愛する。
【００４３】
本実施形態の収納キャビネット１は、上部収納部１０の背面下端部分が下部収納部２０の背方に垂設されて背部収納スペース１５が形成された構造となっている。
【００４４】
この背部収納スペース１５は、上部収納部１０よりも奥行きが小さく形成されており、収納ボックス２１の後部分を、背部収納スペース１５の前方かつ上部収納部２０の下方に位置する下方空間１ｂに収容できるようになっている。すなわち、収納ボックス２１の奥行きを第１実施形態のものと同寸法とすれば、図例のように第１実施形態の場合よりも腰掛けスペースの広い腰掛部２３が形成される。
【００４５】
背部収納スペース１５としては、同スペースの上方が上部収納部１０の底板１０ｂで塞がれているもの（図６（ａ）参照）、底板１０ｂが切り取られて同スペースの上方が開口しているもの（図６（ｂ）（ｃ）参照）などがある。なお、図６（ｃ）に示した背部収納スペース１５には、底板１５ｂと、開閉自在の前板１５ｃとが備えられている。
【００４６】
このような背部収納スペース１５は、ひんぱんに使用しない物や重量のある物品など下部収納部２０に収納する必要のない物の収納スペースとして利用できる。特に、上部収納部１０へ通じる上方開口１５ａを有した背部収納スペース１５によれば、上下に長いスペースを確保でき、傘や杖などの長尺物の収納スペースとして利用できる（図６（ｂ）（ｃ）参照）。また、底板のないもの（図６（ａ）（ｂ）参照）では、玄関土間における汚れ物や濡れ物を収納することができる。さらに、前板１５ｃを備えたもの（図６（ｃ）参照）では、収納ボックス２１を引き出したときに背部収納スペース１５を露出させないようにできる。
【００４７】
なお、図６では３種の例を示したが、上方開口１５ａの有無、底板１５ｂの有無、前板１５ｃの有無の組み合わせを種々変えて、例えば上方開口有・底板有・前板無などの組み合わせ例を実施できることはいうまでもない。
【００４８】
また、本実施形態において上部収納部１０は図例の形状には限られない。特に上方開口１５ａがないものでは、第１実施形態で示した小物収納空間１２を備えた上部収納部１０にも適用できる。
【００４９】
つぎに、本発明の第３実施形態について説明する。図７は、本実施形態の収納キャビネットを示した一部分解外観斜視図である。図８（ａ）（ｂ）は、同収納キャビネットの使用態様２例を示す概略縦断面図である。なお、本実施形態において、第１実施形態と同様の構成については、図中に同一の符号を付して、その説明を割愛する。
【００５０】
本実施形態の収納キャビネット１は、下部収納部２０が外箱２７と３つの内箱２８、２８、２８とで二重構造に構成されている。収納物品は外箱２７に形成された引き出し２７ｃおよび内箱２８に収納される。
【００５１】
外箱２７は、天板２７ａと両側板２７ｂとよりなり、床上に内箱２８の上面および側面を隠すように設置されている。一方、内箱２８は、床上にキャスター（本図では不図示）で移動自在に支持されて、下方空間１ｂから前後出し入れ自在となっている。なお、外箱２７は、図例では内箱２８に被せるようにして床上に移動可能に支持されているが、壁Ｗに固定する構成としてもよい。また背板を設けて、壁Ｗに固定するようにしてもよい。
【００５２】
また図例のものでは、内箱２８として、高さの高いものと、外箱２７の天板２７ａの直下に形成した引き出し部２７ｃに対応した高さの低い２種の高さ寸法の内箱２８、２８、２８が備えられている。
【００５３】
いずれの内箱２８、２８、２８も、外箱２７の内部空間（下方空間１ｂ）に収容されているときには、外箱２７の、上部収納部１０よりも突出した前方部のみが腰掛部２３を構成する。そして内箱２８を引き出すと、内箱２８の上面が露出されることによって高さの低い臨時の腰掛部２３Ａが形成される（図８（ａ）（ｂ）参照）。
【００５４】
このように、この収納キャビネット１によれば種々異なる高さの腰掛部２３Ａを臨時的に形成できるので、背の低い人や子供、幼児が下部収納部を腰掛として利用することができる。また、図７に示すように、内箱２８の出し入れ開口２８ａが側方を向いているものでは、その開口に扉がなくても内部空間を隠すことができるし、また腰掛けた状態で、隣接する内箱への物の出し入れをすることもできる。
【００５５】
以上の３種の実施形態では、収納キャビネット１を玄関土間に設置する例を示したが、リビング、廊下などにも設置することも可能である。
【符号の説明】
【００５６】
１      収納キャビネット
１ｂ      下方空間
１０      上部収納部
１１      履物収納空間
１１ａ      戸板
１２      小物収納空間
１５      背部収納スペース
２０      下部収納部
２１      収納ボックス
２３、２３Ａ      腰掛部
２７      外箱
２８      内箱
Ｗ      壁
Ｆ      床
【図１】
0005484927.tif 000002
【図２】
0005484927.tif 000003
【図３】
0005484927.tif 000004
【図４】
0005484927.tif 000005
【図５】
0005484927.tif 000006
【図６】
0005484927.tif 000007
【図７】
0005484927.tif 000008
【図８】
0005484927.tif 000009